(57)【要約】      （修正有）【課題】地震が起きた場合でも、防煙垂壁用不燃性板材に伝わる揺れを吸収でき、防煙垂壁用不燃性板材の破損、変形を防ぐことができるとともに、構造が単純で製造コストを削減できる防煙垂壁免耐震具を提供する。【解決手段】防煙垂壁免耐震具１０は、天井及び壁に固定される固定部材１１と、防煙垂壁用不燃性板材の端部に固定される不燃性板材取付部材１３と、固定部材及び不燃性板材取付部材の間に伸縮可能に配設固定される不燃シート材１２とを備えている。【選択図】図１
0003209826.tif 000002
【実用新案登録請求の範囲】
【請求項１】
建築物の天井において対向する壁間に配設される防煙垂壁用不燃性板材と前記壁との間に配設される防煙垂壁免耐震具であって、前記天井及び前記壁に固定される固定部材と、前記不燃性板材の端部に固定される不燃性板材取付部材と、前記固定部材及び不燃性板材取付部材の間に伸縮可能に配設固定される不燃シート材とを備えることを特徴とする防煙垂壁免耐震具。
【請求項２】
前記固定部材は、細長中空直方体形状に形成され、前記不燃シート材が前記取付部材との間で付勢手段により巻取可能に内装されていることを特徴とする請求項１記載の防煙垂壁免耐震具。
【請求項３】
前記固定部材は、長さ方向に沿って、前記不燃シート材が出入するスリットを備える一方、前記不燃性板材取付部材は、断面コ字状の細長直方体に形成され、外方へ開口し、前記不燃性板材を固定する固定部を備えていることを特徴とする請求項２記載の防煙垂壁免耐震具。
【請求項４】
前記固定部材内には、長さ方向に沿って、前記不燃シート材が巻装固定される回転軸部と、前記回転軸部を巻取り方向に付勢する付勢部材が設けられていることを特徴とする請求項１〜３記載の防煙垂壁免耐震具。
【請求項５】
前記固定部材の一端部には、天井取付部材が設けられていることを特徴とする請求項１〜４記載の防煙垂壁免耐震具。
【考案の詳細な説明】
【技術分野】
【０００１】
本考案は、免耐震性を有する防煙垂壁免耐震具の改良に関するものである。
【背景技術】
【０００２】
法律では、大型の建築物に対して火災により発生する煙が拡散することを防ぐための防煙垂壁の設置が義務付けられている。従来の防煙垂壁は、建築物の天井に設けられたレールに設置するために、金属製の取り付け具に直接ガラス板の左右両端を嵌め込んだもの、あるいはガラス板の代わりに合成樹脂製の不燃シート材を使用したものがある。
しかしながら、多くの防煙垂壁はガラス板又は所定の剛性を有する不燃シートから構成されており、建築物の天井において対向する壁間の夫々の壁に固定されて配設されることから、地震が発生した場合に、地震の揺れがガラス板、又は所定の剛性を有する不燃シートに直接伝わってしまうため破損してしまい、建物内にいる人々が非難する際に、床に飛散したガラス片などで怪我をするおそれがあった。
【０００３】
従って、このような観点から、免震性を有する様々な防煙垂壁が提案されている。例えば、特許文献１には、シートタイプの防煙垂壁であって、シート端部を保持し、シートに張力を付与するための機構を、ねじとばねとを組み合わせた機構とすることで、ばねによりシートに張力を付与し、これにより、地震時におけるシートの破損や、シートを保持する装置の破損、変形等を防止することを特徴とする防煙垂壁が開示されている。
【０００４】
特許文献２には、天井吊り下げ構造であって、地震の際に、壁、柱との間に、変形追従用衝撃吸収を目的としたケイカル板と不燃シート材製免震壁面方立で構成された、地震時の免震性能に優れ、火災時に要求される不燃材料を使用していることを特徴とする防煙垂壁が開示されている。
【０００５】
特許文献３には、不燃材を設けた保持フレームの両側端部と建築物の壁部との間に緩衝壁を設け、不燃材又は不燃材を設けた保持フレームの面内変形に対して追随する構成を有する、施工性に優れ、かつ耐震性を有することを特徴とする防煙垂壁が開示されている。
【０００６】
しかしながら、特許文献１〜３をはじめとした従来の防煙垂壁には、ガラス板又は不燃シート材に伝わる地震の揺れを吸収するための構成が記載されているが、その構造が複雑であるために製造コストがかかるという問題や、地震の揺れを吸収する部材に柔軟性がないために、地震で生じた揺れを十分に吸収できないままガラス板又は不燃シート材に大きな揺れが伝えてしまうという問題がある。
また、従来の防煙垂壁は、壁に固定される固定部材に直接ガラス板や不燃シート材の不燃性材を取り付けているため、地震の揺れによって、固定位置がずれた場合には、ガラス板や不燃シート材が所定の固定位置に戻すことはできなかった。
【先行技術文献】
【特許文献】
【０００７】
【特許文献１】特許第５７５１９４３号公報
【特許文献２】実登第３１７２９４６号
【特許文献３】特開２００７−８２７５９号公報
【考案の概要】
【考案が解決しようとする課題】
【０００８】
本考案の課題は、地震が起きた場合でも、防煙垂壁用不燃性板材に伝わる揺れを吸収でき、前記不燃性板材の破損、変形を防ぐことができる構造が単純で製造コストを削減することができる防煙垂壁免耐震具を提供することである。
【課題を解決するための手段】
【０００９】
前記課題達成のため、請求項１記載の考案にあっては、建築物の天井において壁間を横断する方向に配設される防煙垂壁用不燃性板材と前記壁との間に配設され、前記天井に固定される固定部材と、前記不燃性板材の端部に固定される不燃性板材取付部材と、前記固定部材及び不燃性板材取付部材の間に伸縮可能に配設固定される不燃シート材とを備えることを特徴とする。
【００１０】
従って、地震が起きた際に、地震の揺れに追随して、前記伸縮可能に配設固定される不燃シート材が伸縮することにより、防煙垂壁用不燃性板材に伝わる地震の揺れが吸収される。
【００１１】
請求項２記載の考案にあっては、前記固定部材は、細長中空直方体形状に形成され、前記不燃シート材が前記取付部材との間で付勢手段により巻取可能に内装されていることを特徴とする。
【００１２】
従って、前記不燃シート材が不燃性板材取付部材との間で付勢手段により巻取可能に内装されていることで、地震の揺れがあった際には、伸縮して、揺れを吸収できるとともに、揺れが収まったときには、前記不燃シート材は伸縮する前の状態に戻る。
【００１３】
請求項３記載の考案にあっては、前記天井壁間固定部材は、長さ方向に沿って、前記不燃シート材が出入するスリットを備える一方、不燃性板材取付部材は、断面コ字状の細長直方体に形成され、外方へ開口し、防煙垂壁用不燃性板材を固定する固定部材を備えていることを特徴とする。
【００１４】
従って、前記不燃性板材取付部材が、前記断面コ字状の細長直方体に形成され、外方へ開口していることにより、様々な種類の不燃性板材を使用することができる。
【００１５】
請求項４記載の考案にあっては、前記固定部材内には、長さ方向に沿って、前記不燃シート材が巻装固定された回転軸部と、前記回転軸部を巻取り方向に付勢する付勢部材が設けられていることを特徴とする。
【００１６】
従って、前記巻装固定された回転軸部と、前記回転軸部を巻取り方向に付勢する前記付勢部材により、地震の揺れに追随して、前記不燃シート材が伸縮する。
【００１７】
請求項５記載の考案にあっては、前記固定部材の一端部には、天井取付部材が設けられていることを特徴とする。
【００１８】
従って、前記天井取付部材が設けられていることで、建築物の天井に設置される防煙垂壁を取り付けるレールに着脱が容易になる。
【考案の効果】
【００１９】
請求項１記載の防煙垂壁免耐震具にあっては、建築物の天井において対向する壁間に配設される防煙垂壁用不燃性板材と前記壁との間に配設される防煙垂壁免耐震具であって、前記天井及び前記壁に固定される固定部材と、前記不燃性板材の端部に固定される不燃性板材取付部材と、前記固定部材及び不燃性板材取付部材の間に伸縮可能に配設固定される不燃シート材とを備えているので、地震が起きた際に、地震の揺れに追随して、前記伸縮可能に配設固定される不燃シート材が伸縮することにより、前記不燃性板材に伝わる地震の揺れを吸収することができる。
その結果、地震が起きた場合でも、防煙垂壁用不燃性板材に伝わる揺れを吸収でき、前記不燃性板材の破損、変形を防ぐことができる構造が単純で製造コストを削減することができる防煙垂壁免耐震具を提供することができる。
【００２０】
請求項２記載の防煙垂壁免耐震具にあっては、前記固定部材は、細長中空直方体形状に形成され、前記不燃シート材が前記取付部材との間で付勢手段により巻取可能に内装されているので、地震の揺れがあった際には、伸縮し、揺れが収まったときに元の長さに戻ることができる。
その結果、地震の揺れが収まった後に、防煙垂壁用不燃性板を所定の位置に復帰させることができる。
【００２１】
請求項３記載の防煙垂壁免耐震具にあっては、天井及び前記壁に固定される固定部材は、長さ方向に沿って、前記不燃シート材が出入するスリットを備える一方、不燃性板材取付部材は、断面コ字状の細長直方体に形成され、外方へ開口し、防煙垂壁用不燃性板材を固定する固定部材を備えているので、様々な種類の防煙垂壁用不燃性板材を使用することができる。
その結果、防煙垂壁用不燃性板材の種類又は製造メーカー等に合わせて、不燃性板材取付部材を取り替える必要がなく、幅広い材料に対応できるとともにコスト削減も削減することができる。
【００２２】
請求項４記載の防煙垂壁免耐震具にあっては、前記固定部材内には、長さ方向に沿って、前記不燃シート材が巻装固定された回転軸部と、前記回転軸部を巻取り方向に付勢する付勢部材が設けられているので、地震の揺れに追随して、自動的に前記不燃シート材を伸縮することができる。
その結果、地震の揺れが収まった後に、前記不燃シート材が延伸した状態を維持することを防ぐことができる。
【００２３】
請求項５記載の防煙垂壁免耐震具にあっては、前記固定部材の一端部には、天井取付部材が設けられているので、建築物の天井に設置される防煙垂壁を取り付けるレールに着脱を容易に行うことができる。
その結果、大規模の商業施設内に設置する場合でも短時間で設置を終了させることができる。
【図面の簡単な説明】
【００２４】
【図１】図１は、本考案の一実施の形態に係る防煙垂壁免耐震具を示す斜視図である。
【図２】図２は、本考案の一実施の形態に係る防煙垂壁免耐震具において、防煙垂壁免耐震具を天井のレールに設置すると共に不燃性板材を取り付けた状態を示す正面側斜視図である。
【図３】図３は、本考案の一実施の形態に係る防煙垂壁免耐震具において、図１及び２における防煙垂壁免耐震具のＩＩ−ＩＩ線相当断面図である。
【考案を実施するための形態】
【００２５】
以下、添付図面に示す実施の形態に基づき、本考案を詳細に説明する。
図１〜図３に示すように、本考案の一実施の形態に係る防煙垂壁免耐震具１０は、建築物の天井２３において対向する壁２４間に配設される防煙垂壁用不燃性板材２１と壁２４との間に配設されるように構成されている。
防煙垂壁免耐震具１０は、天井２３及び壁２４に固定される固定部材１１と、防煙垂壁用不燃性板材２１の端部２０に固定される不燃性板材取付部材１３と、固定部材１１及び不燃性板材取付部材１３の間に伸縮可能に配設固定される不燃シート材１２とを備えている。
【００２６】
図１〜図３に示すように、本実施の形態に係る防煙垂壁免耐震具１０は、細長中空直方体形状に形成されている固定部材１１と、不燃シート材１２が不燃性板材取付部材１３との間で付勢手段２８により巻取可能に内装されている。
【００２７】
図１〜図３に示すように、本実施の形態に係る固定部材１１は、長さ方向に沿って、不燃シート材１２が出入するスリット１５を備える一方、不燃性板材取付部材１３は、断面コ字状の細長直方体に形成され、外方へ開口し、防煙垂壁用不燃性板材２１を固定する固定部１４を備えている。
【００２８】
図１〜図３に示すように、本実施の形態に係る固定部材１１にあっては、長さ方向に沿って、不燃シート材１２が巻装固定される回転軸部２７と、回転軸部２７を巻取り方向に付勢する付勢部材３０が設けられている。
【００２９】
図１〜図３に示すように、本実施の形態に係る固定部材１１の一端部１９には、天井取付部材２２が設けられている。
【００３０】
また、図１〜図３に示すように、本実施の形態に係る固定部材１１は、壁２４に配設され、天井取付部材２２は、天井２３に設けられているレール２５に取り付けられる。
【００３１】
図１〜図３に示すように、本考案の一実施の形態に係る防煙垂壁免耐震具１０は、不燃性であるアルミニウム板から作製された本体部１６及び蓋部１７は、本体部１６の幅方向中央の左端付近１８a及び右端付近１８ｂに設けられたネジ留め位置で固定されている。
【００３２】
図１〜図３に示すように、本考案の一実施の形態に係る固定部材１１の一端部１９に設けられた天井取付部材２２は、不燃シート材１２が巻装固定される回転軸部２７の一端部３４に挿通固定された金属製のネジ棒３５に取り付けられている。
【００３３】
図１〜図３に示すように、本考案の一実施の形態に係る天井取付部材２２は、天井２３に設けられているレール２５に嵌め込むことで固定部材１１を固定する。
【００３４】
図１〜図３に示すように、本考案の一実施の形態に係る付勢手段２８にあっては、不燃シート材１２を巻装固定する回転軸部２７と、回転軸部２７を巻取り方向に付勢させるコイルバネ３０が設けられており、コイルバネ３０の一端部３１はボルト３２により固定部材１１の底面３３に固定され、コイルバネ３０の他端部２９にはワイヤー３９が取り付けられている。
【００３５】
図１〜図３に示すように、本考案の一実施の形態に係る固定部材１１にあっては、コイルバネ３０の他端部２９に取り付けられたワイヤー３９が、滑車３８を通って、固定部材１１に設置されている回転軸部２７の軸端部３６の周辺部に設けられた孔部３７に取り付けられている。
【００３６】
図１〜図３に示すように、本考案の一実施の形態に係る不燃シート材１２が、地震の揺れにより２６ａ２６ｂの方向の横方向における揺れが発生した場合には回転軸部２７が回転し、ワイヤー３９が滑車３８を通って軸端部３６に巻き取られることで、コイルバネ３０が延伸又は収縮することにより揺れを吸収する。
【００３７】
以下、本実施の形態に係る防煙垂壁免耐震具１０の効果について説明する。
本実施の形態に係る防煙垂壁免耐震具１０を設置する場合には、固定部材１１を壁２４に配設し、天井取付部材２２を、天井２３に設けられているレール２５に取り付ける。
この際、図１〜図３に示すように、防煙垂壁免耐震具１０にあっては、固定部材１１及び不燃性板材取付部材１３の間に伸縮可能に配設固定される不燃シート材１２とを備えているので、地震が起きた際に、地震の揺れに追随して、伸縮可能に配設固定される不燃シート材１２が２６ａ方向と２６ｂ方向に伸縮することにより、防煙垂壁用不燃性板材２１に伝わる地震の揺れを吸収することができる。
その結果、地震が起きた場合でも、防煙垂壁用不燃性板材２１に伝わる揺れを吸収でき、防煙垂壁用不燃性板材２１の破損、変形を防ぐことができる構造が単純で製造コストを削減することができる防煙垂壁免耐震具を提供することができる。
【００３８】
また、図１〜図３に示すように、本実施の形態に係る固定部材１１にあっては、細長中空直方体形状に形成され、不燃シート材１２が不燃性板材取付部材１３との間で付勢手段２８により巻取可能に内装されているので、地震の揺れがあった際には、伸縮し、揺れが収まったときに元の長さに復帰させることができるので、地震の揺れが収まった後に、防煙垂壁用不燃性板材２１を所定の位置に戻すことができる。
【００３９】
また、図１〜図３に示すように、本実施の形態に係る固定部材１１にあっては、長さ方向に沿って、不燃シート材１２が出入するスリット１５を備える一方、不燃性板材取付部材１３は、断面コ字状の細長直方体に形成され、外方へ開口し、防煙垂壁用不燃性板材２１を固定する固定部１４を備えているので、様々な種類の防煙垂壁用不燃性板材２１を使用することができることから、防煙垂壁用不燃性板材２１の種類又は製造メーカー等に合わせて、不燃性板材取付部材１３を取り替える必要がなく、幅広い材料に対応できるとともにコスト削減も削減することができる。
【００４０】
また、図１〜図３に示すように、本実施の形態に係る固定部材１１にあっては、長さ方向に沿って、不燃シート材１２が巻装固定された回転軸部２７と、回転軸部２７を巻取り方向に付勢する付勢部材３０が設けられているので、地震の揺れに追随して、自動的に不燃シート材１２を伸縮することができる。
その結果、地震の揺れが収まった後に、不燃シート材１２が延伸した状態を維持することを防ぐことができる。
【００４１】
また、図１〜図３に示すように、本実施の形態に係る固定部材１１の一端部１９には、天井取付部材２２が設けられているので、建築物の天井２３に設置される防煙垂壁を取り付けるレール２５に着脱を容易に行うことができることから、大規模の商業施設内に設置する場合でも短時間で設置を終了させることができる。
【００４２】
また、図１〜図３に示すように、本考案の一実施の形態に係る防煙垂壁免耐震具１０は、不燃性であるアルミニウム板から作製された本体部１６及び蓋部１７は、本体部１６の幅方向中央の左端付近１８ａ及び右端付近１８ｂに設けられたネジ留め一で固定されているので、防煙垂壁免耐震具１０の重量の軽量化を図れると共に、作業者の作業負担も軽減することができる。
【００４３】
また、図１〜図３に示すように、本考案の一実施の形態に係る固定部材１１の一端部１９に設けられた天井取付部材２２は、不燃シート材１２が巻装固定される回転軸部２７の一端部３４に挿通固定された金属製のネジ棒３５に取り付けられているので、天井取付部材２２はネジ棒３５の長さ方向に沿って上下に天井取付部材２２を動かすことができる。
その結果、天井２３に設置される防煙垂壁を取り付けるレール２５の形状に合わせて天井取付部材２２を容易に交換ができる。
【００４４】
また、図１〜図３に示すように、本考案の一実施の形態に係る天井取付部材２２は、天井２３に設けられているレール２５に嵌め込むことで固定部材１１を固定することができるので、地震の揺れによって天井２３に設けられているレール２５から外れることを防止できる。
その結果、地震があったときでも建築物内にいる人々が安全に避難することができる。
【００４５】
また、図１〜図３に示すように、本考案の一実施の形態に係る付勢手段２８にあっては、不燃シート材１２を巻装固定する回転軸部２７と、回転軸部２７を巻取り方向に付勢させるコイルバネ３０が設けられており、コイルバネ３０の一端部３１はボルト３２により固定部材１１の底面３３に固定され、コイルバネ３０の他端部２９においてはワイヤー３９が取り付けられていることから、コイルバネ３０の付勢力により、固定部材１１に設けられたスリット１５から不燃シート材１２が延出する長さを一定に保つことができる。
【産業上の利用可能性】
【００４６】
本考案は、防煙垂壁免耐震具であり、産業上の利用可能性を有している。
【符号の説明】
【００４７】
１０…防煙垂壁免耐震具
１１…固定部材
１２…不燃シート材
１３…不燃性板材取付部材
１４…固定部
１５…スリット
１６…本体部
１７…蓋部
１８ａ…左端付近のネジ留め位置
１８ｂ…右端付近のネジ留め位置
１９…固定部材の一端部
２０…防煙垂壁用不燃性板材の端部
２１…防煙垂壁用不燃性板材
２２…天井取付部材
２３…天井
２４…壁
２５…レール
２７…回転軸部
２８…付勢手段
２９…コイルバネの他端部
３０…付勢部材（コイルバネ）
３１…コイルバネの一端部
３２…ボルト
３３…固定部材の底面
３４…回転軸部の一端部
３５…ネジ棒
３６…回転軸部の軸端部
３７…孔部
３８…滑車
３９…ワイヤー
【図１】
0003209826.tif 000003
【図２】
0003209826.tif 000004
【図３】
0003209826.tif 000005